(57)【要約】【課題】防滑性床材の防滑面に設けた滑り防止用の溝が、周期性を有する方向が存在するが故に生じる防滑性能の異方性を改善する。【解決手段】防滑性床材１０は基材２の防滑面１が溝１ｇと凸状領域１ｃからなり、溝を防滑面の上から観察したときの平面視形状であり凸状領域に対応する多数の閉領域Ａを画成する溝の平面視パターン１Ｐが、二つの分岐点Ｂの間を延びて閉領域を画成する多数の境界線分Ｌから構成され、（ａ）一つの分岐点から延びる境界線分の数の平均値Ｎが３．０≦Ｎ＜４．０、（ｂ）閉領域の形状が、五角形、六角形及び七角形から選ばれた２種以上の多角形を含んでなり六角形の閉領域が最多、（ｃ）同一辺数の多角形の形状は一定でない、の３条件を満たす。さらに、（ｄ）閉領域の配置に周期性を有する方向が存在しない領域を含んでなるパターンである。の条件も満たすのが好ましい。【選択図】図１
2013204316.tif 000002
【特許請求の範囲】
【請求項１】
防滑面を有する基材からなり、前記防滑面は溝とこの溝以外の部分の凸状領域とから構成される防滑性床材において、
前記溝を防滑面の法線方向からみたときの平面視形状であり前記凸状領域に対応する多数の閉領域を画成する溝の平面視パターンが、二つの分岐点の間を延びて前記閉領域を画成する多数の境界線分から構成され、
（ａ）一つの分岐点から延びる境界線分の数の平均値Ｎが、３．０≦Ｎ＜４．０である。
（ｂ）前記閉領域の形状が、五角形、六角形及び七角形から選ばれた２種以上の多角形を含んでなり、前記溝の平面視パターン中に含まれる閉領域の数は六角形の閉領域が最多である。
（ｃ）前記溝の平面視パターンを構成する多角形は同一辺数の多角形の形状は一定でない。
の３条件を満たす、防滑性床材。
【請求項２】
前記溝の平面視パターンは、更に、
（ｄ）前記閉領域の配置に周期性を有する方向が存在しない領域を含んでなるパターンである、請求項１に記載の防滑性床材。
【請求項３】
前記基材の前記防滑面とは反対側の面に、支持体が積層されてなる、請求項１または２に記載の防滑性床材。
【発明の詳細な説明】
【技術分野】
【０００１】
本発明は、人の体重が加わる面を有する内装及び外装の各種床材、例えば、建築物の床、エスカレータや階段の踏板、建築現場の足場などにおいて、表面に防滑性能を有する防滑性床材に関する。
【背景技術】
【０００２】
居室、廊下、浴室、厨房、玄関等の室内の床、或いは、エスカレータや階段の踏板、建築現場の足場などの床材の表面には、人が滑って転倒するのを防止する為に、凹状の溝が形成されていることがある（特許文献１、特許文献２、特許文献３、特許文献４）。
【０００３】
図１５の斜視図で示す防滑性床材２０は、防滑面２１が縦横に走る滑り防止用の多数の溝２１ｇと、溝２１ｇ以外の部分が溝２１ｇに対して凸部となる凸状領域２１ｃとなっている。防滑面２１に設ける溝２１ｇを、防滑面２１をその法線方向から、つまり上から観察したときの平面視形状である、溝の平面視パターン２１Ｐは、図１６（Ａ）の様な平行線群からなるストライプ状、図１６（Ｂ）の様な図１５でも例示した正方格子状、図１６（Ｃ）の様な三角格子状、図１６（Ｄ）の様な六角格子状、など、各種知られている。
【先行技術文献】
【特許文献】
【０００４】
【特許文献１】特開昭６１−２３５３８９号公報
【特許文献２】特許第２５９９５０１号公報
【特許文献３】特許第２６８０３７２号公報
【特許文献４】特開平４−８０４０４号公報
【発明の概要】
【発明が解決しようとする課題】
【０００５】
しかしながら、上記従来の防滑性床材２０は、防滑面２１における溝２１ｇ及び凸状領域２１ｃの配置を特定する溝の平面視パターン２１Ｐが、特定の方向に一定の周期性を有する。このため、必然的に防滑性能に異方性が生じる。つまり、防滑性能に滑り易い方向と、この滑り易い方向よりも滑り難い方向とが存在することになる。
図１７の斜視図は、防滑性能の異方性を説明する図であり、同図では、図１６（Ｂ）で例示したような格子状に、多数の溝２１ｇが互い直交する方向ｄ１と方向ｄ２とに、一定の間隔で配列されており、溝２１ｇ以外の部分が凸状領域２１ｃを構成する防滑面２１となっている。こうした溝２１ｇに一定の周期性を有する場合、防滑性が、溝２１ｇ乃至は凸状領域２１ｃの配列方向である方向ｄ１と方向ｄ２とに対しては同じであったとしても、これらの方向と傾斜した方向、例えば図面で方向ｄ３に対しては異なり、滑り易くなることがある。つまり、方向ｄ１と方向ｄ２とは難滑方向となり、方向ｄ３は易滑方向となる。したがって、こうした異方性の防滑面２１を有する従来の防滑性床材２０では、易滑方向に向かって足底から力が掛かると、滑って転倒し易いという欠点があった。
また、滑りを防ぐ為に表面を粗面化した場合には、この粗面部が最も磨耗しやすく、磨耗時の外観も損なわれる欠点があった。また、
【０００６】
すなわち、本発明の課題は、防滑性床材の防滑面に設けた滑り防止用の溝が、周期性を有する方向が存在するが故に生じる防滑性能の異方性を、改善することである。
【課題を解決するための手段】
【０００７】
そこで、本発明では、次の様な構成の防滑性床材とした。
（１）防滑面を有する基材からなり、前記防滑面は溝とこの溝以外の部分の凸状領域とから構成される防滑性床材において、
前記溝を防滑面の法線方向からみたときの平面視形状であり前記凸状領域に対応する多数の閉領域を画成する溝の平面視パターンが、二つの分岐点の間を延びて前記閉領域を画成する多数の境界線分から構成され、
（ａ）一つの分岐点から延びる境界線分の数の平均値Ｎが、３．０≦Ｎ＜４．０である。
（ｂ）前記閉領域の形状が、五角形、六角形及び七角形から選ばれた２種以上の多角形を含んでなり、前記溝の平面視パターン中に含まれる閉領域の数は六角形の閉領域が最多である。
（ｃ）前記溝の平面視パターンを構成する多角形は同一辺数の多角形の形状は一定でない。
の３条件を満たす、防滑性床材。
（２）前記溝の平面視パターンは、更に、
（ｄ）前記閉領域の配置に周期性を有する方向が存在しない領域を含んでなるパターンである。
の条件を満たす、前記（１）の防滑性床材。
（３）前記基材の前記防滑面とは反対側の面に、支持体が積層されてなる、上記（１）または（２）の防滑性床材。
【発明の効果】
【０００８】
本発明の防滑性床材によれば、防滑面に設けられた溝が呈する溝の平面視パターンが、周期性がない特定のパターンとなるために、溝の平面視パターンが周期的パターンであるが故に生じる防滑性能の異方性を、改善することができる。
【図面の簡単な説明】
【０００９】
【図１】本発明による防滑性床材の一実施形態を説明する斜視図。
【図２】溝の断面形状を例示する断面図。
【図３】溝の平面視パターンの一例を示す平面図。
【図４】溝の平面視パターンで画成される閉領域に、周期性を有する方向が存在しないことを説明する平面図。
【図５】溝の平面視パターンを設計する方法において、母点を決定する方法を示す図。
【図６】溝の平面視パターンを設計する方法において、母点を決定する方法を示す図。
【図７】溝の平面視パターンを設計する方法において、母点を決定する方法を示す図。
【図８】決定された母点群の分散の程度を絶対座標系と相対座標系で説明する図。
【図９】決定された母点からボロノイ図を作成して溝の平面視パターンを決定する方法を示す図。
【図１０】防滑性床材の形状例を示す平面図（Ａ）と、斜視図（Ｂ）。
【図１１】本発明による防滑性床材の別の実施形態を例示する断面図。
【図１２】溝の凹条形状を作製する方法の一例を示す説明図。
【図１３】型面に於ける凸条形状と防滑面に於ける溝の凹条形状を示す断面図。
【図１４】溝の平面視パターンが防滑性床材の寸法の１／３以上の大きさの単位パターン領域として繰り返された一例を示す平面図。
【図１５】溝を有する従来の防滑性床材の一例を示す斜視図。
【図１６】従来の溝の平面視パターンを例示する平面図。
【図１７】従来の溝が周期的であるが故に防滑性に異方性が生じることを説明する斜視図。
【発明を実施するための形態】
【００１０】
以下、本発明の実施形態について図面を参照しながら説明する。なお、図面は概念図であり、説明上の都合に応じて適宜、構成要素の縮尺関係、縦横比等は誇張されていることがある。
【００１１】
先ず、本発明による防滑性床材を、図１の斜視図で示す一実施形態例を参照して説明する。同図に示す本発明の防滑性床材１０は、防滑性が付与された防滑面１を有する基材２からなり、防滑面１は溝１ｇとこの溝１ｇ以外の部分の凸状領域１ｃとから構成されている。
前記基材２は、従来の防滑性床材と同様に、金属、樹脂、コンクリート、石材等からなる。
前記溝１ｇの断面形状は、適宜な形状で良く、例えば、図２（Ａ）の四角形状、図２（Ｂ）の三角形状、図２（Ｃ）の台形形状、図２（Ｄ）の半円状形状、などである。
【００１２】
前記溝１ｇは、従来の周期的パターンとは異なった本発明特有の平面視パターンを呈する。すなわち、溝１ｇは、防滑面１に垂直な法線ｎの方向から見たときの平面視形状が、本発明特有の溝の平面視パターン１Ｐとなっている。この溝の平面視パターン１Ｐは、凸状領域１ｃに対応する多数の閉領域Ａを画成する。この溝の平面視パターン１Ｐは、二つの分岐点Ｂの間を延びて閉領域Ａを画成する多数の境界線分Ｌから構成される。
【００１３】
しかも、この溝の平面視パターン１Ｐは、次の（ａ）、（ｂ）及び（ｃ）の３条件を満すパターンとなっている。
（ａ）一つの分岐点から延びる境界線分の数の平均値Ｎが、３．０≦Ｎ＜４．０である。
（ｂ）前記閉領域Ａの形状が、五角形、六角形及び七角形から選ばれた２種以上の多角形を含んでなり、前記溝の平面視パターン１Ｐ中に含まれる閉領域の数は六角形の閉領域が最多である。
（ｃ）前記溝の平面視パターン１Ｐを構成する多角形は同一辺数の多角形の形状は一定でない。
【００１４】
さらに、本実施形態においては、この溝の平面視パターン１Ｐは、次の（ｄ）の条件も満すパターンとなっている。
（ｄ）前記閉領域Ａの配置に周期性を有する方向が存在しない領域を含んでなるパターンである。
【００１５】
本実施形態では、このような溝の平面視パターン１Ｐとすることにより、溝の平面視パターン１Ｐが、従来のような周期的パターンではなくなる為に、周期的パターンであるが故に生じていた防滑性能の異方性を改善することができる。
【００１６】
以下、本発明に特徴的な溝の平面視パターン１Ｐについて先ず詳細に説明し、その後で、各構成要素及びその材料、形成法などについて説明する。
【００１７】
〔溝の平面視パターン１Ｐとこれにより画成される閉領域Ａ〕
溝の平面視パターン１Ｐは、溝１ｇを、溝１ｇが形成されている防滑面１の法線ｎに平行な方向から観察した場合における平面視形状である。
溝の平面視パターン１Ｐについて、図１、図３および図９を主として参照しながら説明する。
【００１８】
溝の平面視パターン１Ｐは、図３に示す如く、二つの分岐点Ｂの間を延びて閉領域Ａを画成する多数の境界線分Ｌから形成され、少なくとも以下の３条件を満たす。
（ａ）一つの分岐点Ｂから延びる境界線分Ｌの数の平均値Ｎが、３．０≦Ｎ＜４．０、つまり、３．０以上で４．０未満である。
（ｂ）前記閉領域Ａの形状は、各閉領域Ａの周囲を囲繞する境界線分Ｌの数が５、６、及び７である閉領域Ａの形状から選ばれた２種以上の形状を含んでなり、且つ、前記溝の平面視パターン１Ｐ中に含まれる閉領域Ａは、各閉領域Ａの周囲を囲繞する境界線分Ｌの数が６である閉領域Ａが最多となっている。
尚、ここで周囲を囲繞する境界線分Ｌの数とは、閉領域Ａが多角形である場合は、その多角形の角数（或いは辺数）と一致する。即ち、各閉領域Ａを構成する境界線分Ｌが全て直線のみからなる場合は、上記条件（ｂ）は、前記閉領域Ａの形状は、五角形、六角形及び七角形から選ばれた２種以上の多角形を含んでなることを意味する。また、境界線分Ｌの数が６である閉領域Ａは、六角形となる。
【００１９】
ちなみに、図３で例示する溝の平面視パターン１Ｐについて、合計４６３１個の閉領域Ａ（多角形）について計測したところ、
３角形              ０個
４角形            ７９個
５角形        １１４１個
６角形        ２３８２個
７角形          ９２７個
８角形            ９４個
９角形              ８個
１０角形以上        ０個
であり、六角形の閉領域Ａの数が最多であった。
【００２０】
（ｃ）周囲を囲繞する境界線分Ｌの数が同一の閉領域Ａの形状は一定でないパターンとなっている。即ち、溝の平面視パターン１Ｐを構成する閉領域Ａはすべて同一形状では無く、少なくとも一部は他と異なる形状のものを含む。各閉領域Ａを構成する境界線分Ｌが全て直線のみからなる場合は、この条件は、溝の平面視パターン１Ｐを構成する多角形は同一の辺数の多角形の形状は一定でないことを意味する。
尚、特に本実施形態に於いては、以上に加えて更に、溝の平面視パターン１Ｐは、閉領域Ａの配置に周期性を有する方向が存在しないパターンとなっており、
（ｄ）前記閉領域Ａの配置に周期性を有する方向が存在しない領域を含んでなるパターンである。
の条件も満たす。
尚、閉領域Ａの配置に周期性を有する方向が存在しないことを、閉領域Ａが繰返周期を持つ方向が存在しない配列、とも言う。
【００２１】
図３および図９に示すように、溝の平面視パターン１Ｐのライン部Ｌｔは、多数の分岐点Ｂを含んでいる。溝の平面視パターン１Ｐのライン部Ｌｔは、両端において分岐点Ｂを形成する多数の境界線分Ｌから構成されている。すなわち、溝の平面視パターン１Ｐのライン部Ｌｔは、二つの分岐点Ｂの間を延びる多数の境界線分Ｌから構成されている。そして、分岐点Ｂにおいて、境界線分Ｌが接続されていくことにより、閉領域Ａが画成されている。言葉を換えて言うと、境界線分Ｌで囲繞され、区画されて１つの閉領域としての閉領域Ａが画成されている。
【００２２】
なお、図３および図９に示すように、ライン部Ｌｔが境界線分Ｌのみから構成されているため、閉領域Ａの内部に延び入って行き止まりとなるライン部Ｌｔは存在しない。
【００２３】
溝の平面視パターン１Ｐは、閉領域Ａの配置に周期性を有する方向が存在しない領域を含んでなるパターンとなって、防滑性能の異方性を改善する効果が充分に発現される為には、その全領域が、周囲を囲繞する境界線分Ｌの数が同一の閉領域Ａの形状は一定でないようにすることが好ましい。好ましくは、周囲を囲繞する境界線分Ｌの数が同一の閉領域Ａの５０％以上が互いにその形状が異なるようにする。より好ましくは、周囲を囲繞する境界線分Ｌの数が同一の閉領域Ａを溝の平面視パターン１Ｐの全域に亙って、全て互いにその形状が異なるようにする。尚、こうした溝の平面視パターン１Ｐに含まれる閉領域Ａは、その周囲を囲繞する境界線分Ｌの数が同一の閉領域Ａについては、その形状が一定でないことに加えて、更にその面積も一定でないことが、より好ましい。これは、言い換えると、溝の平面視パターン１Ｐに含まれる閉領域Ａのうち、周囲を囲繞する境界線分数が同一となる閉領域Ａの形状、又は形状及び面積がすべて同一ではなく、少なくとも一部は他と異なるものになると言うことを意味する。
なお、以上に於いて、２つの閉領域Ａ同士が互いに合同な図形であって且つその向きが異なる場合も、その２つの閉領域Ａの形状は互いに異なると見做す。
【００２４】
防滑性能の異方性を確実に解消する為には、溝の平面視パターン１Ｐの全領域がこのような領域のみから構成されていることが好ましい。本実施形態はこの様な構成からなる。本件発明者らは、鋭意研究を重ねた結果として、単に溝の平面視パターン１Ｐのパターンを不規則化するのではなく、溝の平面視パターン１Ｐの閉領域Ａが、閉領域Ａの配置に周期性を有する方向が存在せず、また周囲を囲繞する境界線分Ｌの数が同一の閉領域Ａの面積及び形状は一定でないように溝の平面視パターン１Ｐのパターンを画成することにより、溝の平面視パターンが周期的パターンである構成の従来の防滑性床材２０で生じる防滑性能の異方性を、極めて効果的に改善することが出来ると判明した。
【００２５】
［繰返周期の不存在］
図４は、溝の平面視パターン１Ｐで画成される多数の閉領域Ａが、周囲を囲繞する境界線分Ｌの数が同一の閉領域Ａの面積及び形状は一定でない。そして、閉領域Ａが、一定の周期で配置されている領域が存在せず、繰返周期が存在しない、言い換えると、閉領域Ａの配置に周期性を有する方向が存在しない、ことを説明するＸＹ平面に平行な板面に於ける平面図である。この板面の面内において、同図では、任意の位置で任意の方向を向く一本の仮想的な直線ｄｉが選ばれている。
この一本の直線ｄｉが、ライン部Ｌｔの境界線分Ｌと交差し交差点が形成される。この交差点を、図面では図面左下から順に、交差点ｃ１，ｃ２，ｃ３，・・・・・，ｃ９として図示してある。隣接する交差点、例えば、交差点ｃ１と交差点ｃ２との距離が、前記或る一つの閉領域Ａの直線ｄｉ上での寸法ｔ１である。次に、寸法ｔ１の閉領域Ａに対して直線ｄｉ上で隣接する別の閉領域Ａについても、同様に、直線ｄｉ上での寸法ｔ２が定まる。そして、任意位置で任意方向の直線ｄｉについて、直線ｄｉと交差する境界線分Ｌとから、任意位置で任意方向の直線ｄｉと遭遇する多数の閉領域Ａについて、該直線ｄｉ上における寸法として、ｔ１，ｔ２，ｔ３，・・・・・・，ｔ８が定まる。そして、ｔ１，ｔ２，ｔ３，・・・・・・，ｔ８の数値の並びには、周期性が存在しない。
図４では、このｔ１，ｔ２，ｔ３，・・・・・・，ｔ８は、判り易い様に図面下方に、直線ｄｉと共に溝の平面視パターン１Ｐとは分離して描いてある。
【００２６】
この直線ｄｉを図４で図示のものから任意の位置で任意の角度回転させて別の方向について各閉領域Ａの寸法ｔ１，ｔ２，・・を求めると、やはり図４の場合と同様、直線ｄｉ方向に対して繰返し周期性は見られない。
すなわち、このｔ１，ｔ２，ｔ３，・・・・・・，ｔ８の数値の並びの様に、境界線分Ｌで画成された閉領域Ａには繰返周期を持つ方向が存在しない。
言い換えると、閉領域Ａの配置において、任意位置を通る任意方向の仮想的線分ｄｉ上での閉領域Ａの寸法ｔｉの並びの数列が非周期関数となる。すなわち、ｔ（ｉ）＝ｔ（ｉ＋Ｍ）となるＭが存在しない（ｉ，Ｍはそれぞれ独立な正の整数）。
このように、閉領域Ａの配置に周期性を有する方向が存在しないことを、閉領域Ａが一定の繰返周期で並べられている方向が存在しない、と表現する。
【００２７】
さらに、本実施形態による溝の平面視パターン１Ｐでは、一つの分岐点Ｂから延び出す境界線分Ｌの数の平均値Ｎが３．０≦Ｎ＜４．０となっている。このように一つの分岐点Ｂから延び出す境界線分Ｌの数の平均値Ｎが３．０≦Ｎ＜４．０となっている場合、溝の平面視パターン１Ｐの配列パターンを、図１６（Ｂ）に示された正方格子パターン（Ｎ＝４．０）から大きく異なるパターンとすることができる。また、一つの分岐点Ｂから延び出す境界線分Ｌの数の平均値Ｎが３．０＜Ｎ＜４．０となっている場合には、図１６（Ｄ）に示されたハニカム配列（Ｎ＝３．０）からも大きく異なるパターンとすることができる。そして、一つの分岐点Ｂから延び出す境界線分Ｌの数の平均値Ｎを３．０≦Ｎ＜４．０とした上で、閉領域Ａの配列を不規則化して、閉領域Ａの配置に周期性を有する方向が安定して存在しないようにすることが可能となり、その結果、防滑性能の異方性を極めて効果的に改善することが可能となることが、確認された。
【００２８】
なお、一つの分岐点Ｂから延び出す境界線分Ｌの数の平均値Ｎは、厳密には、溝の平面視パターン１Ｐ内に含まれる全ての分岐点Ｂについて、延び出す境界線分Ｌの数を調べてその平均値を算出することになる。ただし、実際的には、ライン部Ｌｔによって画成された一つ当たりの閉領域Ａの大きさ等を考慮した上で、一つの分岐点Ｂから延び出す境界線分Ｌの数の全体的な傾向を反映し得ると期待される面積を持つ一区画（例えば、後述の寸法例で閉領域Ａが形成されている溝の平面視パターン１Ｐにおいては、５０ｍｍ×５０ｍｍの部分）に含まれる分岐点Ｂについて延び出す境界線分Ｌの数を調べてその平均値を算出し、算出された値を当該溝の平面視パターン１Ｐについての一つの分岐点Ｂから延び出す境界線分Ｌの数の平均値Ｎとして取り扱うようにしてもよい。
【００２９】
実際に、図３に示された溝１ｇの溝の平面視パターン１Ｐでは、一つの分岐点Ｂから延び出す境界線分Ｌの数の平均値Ｎが３．０＜Ｎ＜４．０となっている。一例を挙げると、図３の溝の平面視パターン１Ｐの場合、合計３８７個の分岐点Ｂについて計測したところ、境界線分Ｌが３本の分岐点Ｂが３７３個、境界線分Ｌが４本の分岐点Ｂが１４個であり（分岐する境界線分Ｌの数が５個以上の分岐点は０個）、分岐点Ｂから出る境界線分Ｌの平均本数（平均分岐数）は３．０４個であった。
【００３０】
［溝の平面視パターン１Ｐのパターン形状の作成方法］
ここで、本発明固有の上記溝の平面視パターン１Ｐのパターンを作成する方法の一例を以下に説明する。
【００３１】
ここで説明する方法は、母点を決定する工程と、決定された母点からボロノイ図を作成する工程と、ボロノイ図における一つのボロノイ境界によって結ばれる二つのボロノイ点の間を延びる境界線分Ｌの経路を決定する工程と、決定された経路の太さを決定して各境界線分Ｌを画定して溝の平面視パターン１Ｐ（ライン部Ｌｔ）のパターンを決定する工程と、を有している。以下、各工程について順に説明していく。なお、上述した図３に示されたパターンは、実際に以下に説明する方法で決定されたパターンである。
【００３２】
まず、母点を決定する工程について説明する。最初に、図５に示すように、絶対座標系Ｏ−Ｘ−Ｙ（この座標系Ｏ−Ｘ−Ｙは普通の２次元平面であるが、後述の相対座標系と区別する為、頭に「絶対」を付記する）の任意の位置に一つ目の母点（以下、「第１の母点」と呼ぶ）ＢＰ１を配置する。次に、図６に示すように、第１の母点ＢＰ１から距離ｒだけ離れた任意の位置に第２の母点ＢＰ２を配置する。言い換えると、第１の母点ＢＰ１を中心として絶対座標系ＸＹ上に位置する半径ｒの円の円周（以下、「第１の円周」と呼ぶ）上の任意の位置に、第２の母点ＢＰ２を配置する。次に、図７に示すように、第１の母点ＢＰ１から距離ｒだけ離れ且つ第２の母点ＢＰ２から距離ｒ以上離れた任意の位置に、第３の母点ＢＰ３を配置する。その後、第１の母点ＢＰ１から距離ｒだけ離れ且つその他の母点ＢＰ２，ＢＰ３から距離ｒ以上離れた任意の位置に、第４の母点を配置する。
【００３３】
このようにして、次の母点を配置することができなくなるまで、第１の母点ＢＰ１から距離ｒだけ離れ且つその他の母点から距離ｒ以上離れた任意の位置に母点を配置していく。その後、第２の母点ＢＰ２を基準にしてこの作業を続けていく。すなわち、第２の母点ＢＰ２から距離ｒだけ離れ且つその他の母点から距離ｒ以上離れた任意の位置に、次の母点を配置する。第２の母点ＢＰ２を基準にして、次の母点を配置することができなくなるまで、第２の母点ＢＰ２から距離ｒだけ離れ且つその他の母点から距離ｒ以上離れた任意の位置に母点を配置していく。その後、基準となる母点を順に変更して、同様の手順で母点を形成していく。
【００３４】
以上の手順で、溝の平面視パターン１Ｐが形成されるべき領域内に母点を配置することができなくなるまで、母点を配置していく。溝の平面視パターン１Ｐが形成されるべき領域内に母点を配置することができなくなった際に、母点を作製する工程が終了する。ここまでの処理により、２次元平面（ＸＹ平面）に於いて不規則的に配置された母点群が、溝の平面視パターン１Ｐが形成されるべき領域内に一様に分散した状態となる。
【００３５】
このような工程で２次元平面（ＸＹ平面）内に分布された母点群ＢＰ１、ＢＰ２、・・、ＢＰ６（図８（Ａ）参照）について、個々の母点間の距離は一定では無く分布を有する。但し、任意の隣接する２母点間の距離Ｒの分布は完全なランダム分布（一様分布）でも無く、平均値ＲAVGを挾んで上限値ＲMAXと下限値ＲMINとの間の範囲ΔＲ＝ＲMAX−ＲMINの中で分布している。なお、ここで、隣接する２母点であるが、母点群ＢＰ１、ＢＰ２、・・からボロノイ図を作成した後、２つのボロノイ領域ＸＡが隣接していた場合に（図９参照）、その２つのボロノイ領域ＸＡの母点同士が隣接していると定義する。
なお、図８（Ａ）に於いて、これら母点群から得られるボロノイ境界（図９参照）を参考までに破線で図示してある。
【００３６】
即ち、ここで説明した母点群について、各母点を原点とする座標系（相対座標系ｏ−ｘ−ｙと呼称し、一方、現実の２次元平面を規定する座標系を絶対座標系Ｏ−Ｘ−Ｙと呼称する）上に、原点に置いた母点と隣接する全母点をプロットした図８（Ｂ）、図８（Ｃ）、・・等のグラフを全母点について求める。そして、これら全部の相対座標系上の隣接母点群のグラフを、各相対座標系の原点ｏを重ね合わせて表示すると、図８（Ｄ）の如きグラフが得られる。この相対座標系上での隣接母点群の分布パターンは、母点群を構成する任意の隣接する２母点間の距離が０から無限大迄の一様分布では無く、原点ｏからの距離がＲAVG−ΔＲからＲAVG＋ΔＲ迄の有限の範囲（半径ＲMINからＲMAX迄のドーナツ形領域）内に分布していることを意味する。
【００３７】
以上の様にして、各母点間の距離を設定することによって、該母点群から以下に説明する方法で得られるボロノイ領域ＸＡ、更には、これから得られる閉領域Ａの大きさ（乃至は閉領域Ａの面積）の分布についても、一様分布（完全ランダム）では無く、有限の範囲内に分布したものとなる。
なお、図８（Ｄ）からわかる様に、任意の１母点ＢＰから見た他の母点ＢＰの方位（角度）分布は等方的(乃至は略等方的)である。このことが、こうした母点（群）ＢＰから生成される溝の平面視パターン１Ｐに於ける閉領域Ａの方位（角度）分布が等方的(乃至は略等方的)となることに対応する。
この様に構成することにより、閉領域Ａの面分布がより均一化し、防滑性能の異方性がより一層効果的に改善する。
【００３８】
また、防滑性能の強弱レベルを面内においてより均一化させる為には、開口部Ａの大きさＤの分布を、
ＤAVG−３σ≦Ｄ≦ＤAVG＋３σ
としたときに（但し、ＤAVGは大きさＤの平均値、σは大きさＤの分布の標準偏差）、
３σ＝０．１ＤAVG〜０．５ＤAVG
とするのが好ましい。
【００３９】
閉領域Ａの大きさＤは、全ての閉領域Ａについて、以下の定義とする。
（１）或る一つの閉領域Ａに属する全ての分岐点Ｂ（多角形の場合は全頂点）を通る円が描ける場合は、この閉領域Ａの外接円直径を以って、大きさＤとする。
（２）或る一つの閉領域Ａに属する全ての分岐点Ｂ（多角形の場合は全頂点）を通る円が描けない場合は、この閉領域Ａに属する２分岐点Ｂ間の距離の最大値（多角形の場合は最長の対角線長）を以って、大きさＤとする。
【００４０】
なお、以上の母点を決定する工程において、距離ｒの大きさを変化させることにより、一つあたりの閉領域Ａの大きさＤを調節することができる。具体的には、距離ｒの大きさを小さくすることにより、一つあたりの閉領域Ａの大きさＤを小さくすることができ、逆に距離ｒの大きさを大きくすることにより、一つあたりの閉領域Ａの大きさＤを大きくすることができる。
【００４１】
次に、図９に示すように、配置された母点を基準にして、ボロノイ図を作成する。図９に示すように、ボロノイ図とは、隣接する２つの母点ＢＰ、ＢＰ間に垂直二等分線を引き、その各二等分線同士の交点で囲まれた線分で構成される図である。ここで、垂直二等分線からなる線分をボロノイ境界ＸＢと呼び、ボロノイ境界ＸＢの端部をなすボロノイ境界ＸＢ同士の交点をボロノイ点ＸＰと呼び、ボロノイ境界ＸＢに囲まれた領域をボロノイ領域ＸＡと呼ぶ。
【００４２】
図９のように作成されたボロノイ図において、各ボロノイ点ＸＰが、溝の平面視パターン１Ｐの分岐点Ｂをなすようにする。そして、一つのボロノイ境界ＸＢの端部をなす二つのボロノイ点ＸＰの間に、一つの境界線分Ｌを設ける。この際、境界線分Ｌは、図９に示された例のように二つのボロノイ点ＸＰの間を直線状に延びるように決定してもよいし、あるいは、他の境界線分Ｌと接触しない範囲で二つのボロノイ点ＸＰの間を種々の経路（例えば、円（弧）、楕円（弧）、抛物線、双曲線、正弦曲線、双曲線正弦曲線、楕円函数曲線、ベッセル関数曲線等の曲線状、折れ線状等の経路）で延びるようにしてもよい。なお、境界線分Ｌは、図９に示された例のように二つのボロノイ点ＸＰの間を直線状に延びるように決定した場合、各ボロノイ境界ＸＢが、境界線分Ｌを構成するようになる。
【００４３】
各境界線分Ｌの経路を決定した後、各境界線分Ｌの線幅（太さ）を決定する。境界線分Ｌの線幅は、作成された溝の平面視パターン１Ｐを呈する溝１ｇの溝幅である。この溝幅とは、後述図１３（Ｂ）で説明するように、注目する部分において溝１ｇの延在方向に直交しなお且つ防滑面１の法線ｎに平行な面（これを主切断面とも言う）に於ける溝１ｇの凸状領域１ｃの面と同一水準面に於ける幅Ｗｔであり、開口幅とも言える。この線幅乃至は溝幅Ｗｔは、防滑性能の強弱レベル、歩行感触などを勘案して、決定される。
以上のようにして、溝の平面視パターン１Ｐのパターン形状を決定することができる。
【００４４】
以上のような本実施形態によれば、防滑性床材１０の防滑面１における溝１ｇが呈する平面視形状である溝の平面視パターン１Ｐが、凸状領域１ｃに対応する多数の閉領域Ａを画成し、また、二つの分岐点Ｂの間を延びて閉領域Ａを画成する多数の境界線分Ｌから構成され、しかも、（ａ）一つの分岐点Ｂから延びる境界線分Ｌの数の平均値Ｎが３．０≦Ｎ＜４．０である。（ｂ）前記開口部Ａの形状が、五角形、六角形及び七角形から選ばれた２種以上の多角形を含んでなり、前記溝の平面視パターン１Ｐ中に含まれる開口部Ａの数は六角形の開口部Ａが最多である。（ｃ）溝の平面視パターン１Ｐを構成する多角形は同一辺数の多角形の形状は一定でない。（ｄ）閉領域Ａの配置に周期性を有する方向が存在しない領域を含んでなるパターンである。と言う４条件を満たすようになっている。
この結果、従来の防滑性床材において、溝の平面視パターンが周期的パターンであるが故に生じる防滑性能の異方性を、防滑性能の強弱レベルの面内不均一性の発生を抑制しつつ、効果的に改善することができる。
【００４５】
次に、溝形状、各構成要素の材料、形成法などについて説明する。
【００４６】
〔溝１ｇの断面形状〕
溝１ｇの主切断面における断面形状は、上述図２を参照して概説したように特に限定はない。例えば、図２（Ａ）の直角四角形状、図２（Ｂ）の底辺を凸状領域１ｃの面と同一水準とする三角形状、図２（Ｃ）の上底に対して寸法の大きい下底を凸状領域１ｃの面と同一水準とする台形形状、図２（Ｄ）の切片を凸状領域１ｃの面と同一水準とする半円状形状、などである。前記半円状の円状とは、凸状領域１ｃの面と同一水準の切片以外が、溝１ｇの内部から外側に向かって凸形状をした、円、楕円などの曲線のみからなる形状であり、放物線、双曲線、カージオイド、サイクロイド等の曲線なども含む。即ち、ここで言う半円状の円とは必ずしも真円のみには限定されない。
なお、ここで、断面形状とは、防滑面１に垂直な面であって、溝１ｇが走る延在方向に直交する面に於ける断面形状（主切断面形状）のことである。
【００４７】
溝１ｇの深さＶ、及び開口幅Ｗｔは１０〜５０００μｍ程度である。溝１ｇの幅Ｗｔとは、図１３（Ｂ）で示すとおり、凸状領域１ｃの面と同一水準に於ける幅であり、通常は該溝１ｇの最大幅となる。
また、溝１ｇの主切断面に於ける凸状領域１ｃの面とは反対側に於ける幅Ｗｂ（これを底部側の幅とも言う）は、０〜５０００μｍ程度の範囲とする。開口幅Ｗｔ及び底部側の幅Ｗｂとの関係は、Ｗｔ＞ｗｂ、Ｗｔ＝Ｗｂ、Ｗｔ＜Ｗｂの何れも可能であるが、図１２の如くの成形型で賦形する製法を採用する場合の離型性、及び溝１ｇ内に溜まる塵の排出の容易性の点からは、Ｗｔ＞Ｗｂとすることが好ましい。
溝１ｇの内部には、防滑性床材１０の下部への水抜き穴をあけて効果的な排水もできる様にしてもよい。
【００４８】
〔凸状領域１ｃ〕
凸状領域１ｃは、防滑面１において、前記した溝の平面視パターン１Ｐで画成される閉領域Ａに対応する部分である。凸状領域１ｃが、床材として人の体重を主体的に受ける部分となる。凸状領域１ｃの大きさは、或る凸状領域１ｃに対応する閉領域Ａに於ける二つの分岐点Ｂ間の最大距離Ｄ、言い換えると最大対角線長Ｄで捉えた場合に、その平均値ＤＡＶＥを１〜３０ｍｍ程度の範囲とする。
凸状領域１ｃの表面は粗面化して、粗面によって防滑性を向上させてもよい。
【００４９】
〔溝１ｇ及び凸状領域１ｃからなる防滑面１の形成方法〕
溝１ｇ及び凸状領域１ｃからなる防滑面１の形成方法は、特に限定されない。例えば、特許第２９８０６８２号公報で開示されている様な従来公知の防滑性床材における溝形成法を、防滑面１を構成する材料に応じて適宜採用すれば良い。例えば、防滑面１を構成する基材２が金属である場合には、エッチング法を採用することができる。或いは、防滑面１を構成する基材２が樹脂である場合には、フォトポリマー法（２Ｐ法）を採用することができる。後述図１２を参照する実施例ではフォトポリマー法で形成する。
【００５０】
〔基材２〕
凸状領域１ｃ及び溝１ｇからなる防滑面１を有する基材２を構成する材料は、特に限定はない。従来公知の防滑性床材における各種材料を適宜採用することができる。
基材２には、金属材料、樹脂材料、非金属無機材料などを用いることができる。前記金属材料としては、鉄（純鉄）、或いは炭素鋼、ステレンレス鋼などの鉄合金、アルミニウム、銅、チタン等を用いることができる。前記樹脂材料としては、熱可塑性樹脂、或いは熱硬化性樹脂や電離放射線硬化性樹脂の硬化物、ゴムなどを用いることができる。熱可塑性樹脂としては、熱可塑性ポリエステル樹脂、熱可塑性アクリル樹脂、塩化ビニル樹脂、ポリオフレィン樹脂、ポリカーボネート樹脂、熱可塑性ウレタン樹脂などを用いることができ、熱硬化性樹脂としては、フェノール樹脂、熱硬化性ウレタン樹脂、熱硬化性ポリエステル樹脂等を用いることができ、電離放射線硬化性樹脂としては、アクリレート（含むメタクリレート）、エポキシなどのモノマー又はプレポリマーを１種以上含み、紫外線、電子線などの電離放射線照射により重合乃至は架橋し得る樹脂組成物を用いることができる。前記ゴムとしては、天然ゴム、合成ゴム、再生ゴムなどを用いることができる。前記非金属無機材料としては、陶磁器、ガラスなどのセラミックス、コンクリート、石材などを用いることができる。
【００５１】
［防滑性床材１０の全体形状］
防滑性床材１０の全体形状は、用途に応じた形状となり特に限定はない。例えば、図１０（Ａ）で示すような長方形や正方形などの板状乃至はシート状、図１０（Ｂ）で示すようなロールに巻き取り可能な可撓性を有する帯状である。
【００５２】
防滑性床材１０の寸法は、図１０（Ａ）の様な板状乃至はシート状の場合では、縦及び横は、例えば、５０〜５００ｍｍ程度、厚みは、例えば、５〜１００ｍｍ程度とすることができる。また、図１０（Ｂ）の様な帯状の場合は、幅が例えば５００〜１８００ｍｍ、厚みは、例えば、０．１〜５ｍｍ程度とすることができる。
【００５３】
〔変形形態〕
本発明の防滑性床材１０は、上記した形態以外のその他の形態をとり得る。ここでは、その一部を説明する。
【００５４】
［防滑性床材１０の層構成］
防滑性床材１０は、図１で示した上述実施形態のように、防滑面１を構成する基材２のみからなる単層構成でも良いが、他の層を積層した複層構成とすることもできる。
図１１で示す別の実施形態例は、基材２の防滑面１とは反対側の面に、支持体３が積層された、２層構成（積層構成）の例である。
支持体３は、基材２それ自身では機械的強度が不足する場合、或いは、フォトポリマー法による基材２の形成のように、防滑面１を有する基材２の形成を容易にする場合などの為に、設けられる。支持体３によって、基材２は専ら防滑性能を主体に設計し、支持体３は専ら防滑性床材１０の全体としての機械的強度、外形形状などを主体に設計することができる。
【００５５】
（支持体３）
支持体３には、前記基材２として例示した物の中から選択して用いることができる。さらに、支持体３には、木材、繊維、不織布などを用いることができる。例えば、木材としては、杉、檜、松、ラワン、チーク、樫などからなる単板、合板、集成材、パーティクルボード、中質繊維板（ＭＤＦ）などを用いることができる。繊維及び不織布としては、セルロース系樹脂、ポリアミド樹脂、ポリエステル樹脂等からなる合成繊維、綿、絹、麻などからなる天然繊維を用いたものを用いることができる。
【００５６】
［単位パターン領域Ｓとしての繰返し］
上述した実施形態では、防滑性床材１０の防滑面１の全領域において、溝１ｇが呈する溝の平面視パターン１Ｐによって画成される閉領域Ａの配置に周期性を有する方向が存在しないようになっている例を説明した。しかしながら、図１４の様に、その内部に於いて溝の平面視パターン１Ｐの全領域が、単位パターン領域Ｓを複数集合して溝の平面視パターン１Ｐの全領域が構成されるようにして、且つ各単位パターン領域Ｓ内に於いては、複数の閉領域Ａが、その配置に周期性を有する方向が存在しないパターンで配置されている領域からなるようにしてもよい。
すなわち、この形態に於いては、溝の平面視パターン１Ｐの全領域中に、局所的に見たときに、同一パターンで閉領域群が配置されてなる単位パターン領域Ｓを２箇所以上含むようになる。この場合、特定方向について、一定周期で４箇所以上の繰返しが無ければ、単位パターン領域Ｓ同士の繋ぎ目は実質上目立ち難く、外観上の見栄えの点で無視し得る。もちろん、単位パターン領域Ｓ中で防滑性能の異方性は改善されている。この例において、一つの単位パターン領域Ｓ内における溝の平面視パターン１Ｐのパターンは、例えば、図５〜図９を参照しながら説明したパターン作成方法と同様にして作成することができる。
【００５７】
特に、防滑面１が大面積となる防滑性床材１０に対しては、溝の平面視パターン１Ｐが、複数の単位パターン領域Ｓの配列から構成されていて、且つ各々の単位パターン領域Ｓ内に於いては互いに同一のパターンで閉領域Ａが配置されている構成とした複数の単位パターン領域Ｓを含む形態とした方が、溝の平面視パターン１Ｐのパターン作成を格段に容易化することが可能となる点において好ましい。
【００５８】
なお、特に一種類の単位パターン領域Ｓを図１４に示す様に縦横に複数配置する例においては、特定方向（図面縦方向と横方向の２方向）で単位パターン領域Ｓとしての繰返しが存在する。図１４の実施形態に於いては、横方向に繰返周期ＳＰ２、縦方向に繰返周期ＳＰ１を以って単位パターン領域Ｓが繰り返される。この条件下では、特定方向に於ける単位パターン領域Ｓの寸法をＬｓとし、該特定方向に延びる任意の仮想的な直線ｄｊ上において単位パターン領域Ｓが寸法Ｌｓ内に閉領域ＡをＭ個有するとき、直線ｄｊ上の或る閉領域Ａに注目すると、直線ｄｊ上では閉領域Ａの個数がＭ個分だけ離れた位置には、全く同じ寸法ｔｊ及び形状の閉領域Ａが常に存在するという規則性を有する。すなわち、閉領域Ａの直線ｄｊ上での寸法ｔｊについて、直線ｄｊ上で順番に数えてｋ番目の寸法ｔｊ（ｋ）と、そこから更にＭ番目の（ｋ＋Ｍ）番目の寸法ｔｊ（ｋ＋Ｍ）とが同じとなる、ｔｊ（ｋ）＝ｔｊ（ｋ＋Ｍ）の関係が成立する（ｋ，Ｍはそれぞれ独立な正の整数）。
【００５９】
しかし、この規則性は、単位パターン領域Ｓとしての繰返周期（前記で言えば寸法Ｌｓがその繰返周期に該当する）に基づくものであり、閉領域Ａとしての繰返周期（周期性）ではなく、各単位パターン領域Ｓ内に於いて閉領域Ａがその配置に周期性を上記特定方向に持つことではない。
又、各単位パターン領域Ｓ内に於いては、閉領域Ａ（乃至溝１ｇ）の配置が特定方向に周期性を持たない為、本発明の奏すべき防滑性能の異方性の改善効果は、支障なく奏される。
【００６０】
図１４に示された例では、防滑面１が、同一の形状を有した六つの単位パターン領域Ｓに分割され、各単位パターン領域Ｓ内で、防滑面１に存在する溝１ｇが呈する溝の平面視パターン１Ｐが同一に構成されている。そして、六つの単位パターン領域Ｓは、図１４の縦方向（図の上下方向）に繰返周期ＳＰ１で三つの領域が並ぶとともに、図１４の横方向に繰返周期ＳＰ２で二つの領域が並ぶように配列されている。
【００６１】
［意匠性の付与］
更に必要に応じて、本発明の防滑性床材１０には美的外観を呈する為に、或いは各種情報表示機能を付与させる為に、各種の意匠性付与を行うことが出来る。
こうした意匠性付与の具体例としては、下記の如きものを本発明の奏すべき効果である防滑性能の異方性改善効果を実質上阻害しない範囲内で、適用すれば良い。
（１）着色；基材２又は支持体３中への染料、顔料等の着色剤を添加したり、或いは基材２又は支持体３の表面（防滑面１側）、裏面（防滑面１とは反対面側）、表裏両面の何れかの面に公知の印刷法、塗装法にて、着色塗膜を形成することにより、防滑性床材１０に所望の色彩を付与する。
（２）模様の形成；基材２又は支持体３の表面（防滑面１側）、裏面（防滑面１とは反対面側）、表裏両面の何れかの面に、グラビア印刷、シルクスクリーン印刷、インクジェット印刷等の印刷法にて、着色インキを用いて、所望の模様を付与する。模様としては、柾目柄、板目柄等の木板の表面外観からなる木目模様、大理石、花崗岩等の石板の表面外観からなる石目模様、布、織物等の纖維製品の表面外観からなる布目模様、文字、記号、幾何学図形等が挙げられる。
（３）金属層の形成；基材２又は支持体３の表面、裏面、表裏両面の何れかの面に、真空蒸着、スパッタリング、無電解メッキ等の手法によって、金、銀、銅、クロム、アルミニウム、ニッケル、真鍮等の金属の層を形成することによって、金属外観を付与する。
【００６２】
〔用途〕
本発明による防滑性床材１０は、人の体重が加わる面を有する各種床材、例えば、居室、厨房、浴室、廊下、玄関、土間、ベランダ等の建築物の内外の床、車両、船舶、航空機等の乗り物の床、エスカレータや動く歩道などの人員搬送用コンベアにおける踏板や乗降口の床板、階段の踏板、人体の静電気除去用の導電性マット、鉄道、バス等の交通手段の駅のプラットフォームの床や階段又はエスカレータの踏み板、道路の路面や階段の水平面、建築現場の足場、プールサイドの床、マンホールの蓋等に適用できる。或いは、物品を置く棚や床などに、物品の防滑の為に適用しても良い。
【実施例】
【００６３】
次に、本発明の防滑性床材１０の代表的実施形態について更に具体的に説明する。
【００６４】
［実施例１］
溝の平面視パターン１Ｐとしては、図５〜図９を参照して説明した前記［溝の平面視パターン１Ｐのパターン形状の作成方法］に準拠して作製した図３と同様のパターンを作成する。
支持体３には、帯状で厚み１００μｍの塩化ビニル樹脂（可塑剤としてジオクチルフタレートを樹脂１００質量部に対して２３質量部添加）のフィルムを用いた。
基材２には、電離放射線硬化性樹脂を用いた。この電離放射線硬化性樹脂は、ウレタンアクリレートプレポリマー２０質量部、ヘキサンジオールジアクリレート３０質量部、ヒドロキシエチルメタクリレート３０質量部を含む樹脂組成物である。
【００６５】
前記支持体３の片面に、前記樹脂組成物の硬化物からなり、前記溝の平面視パターン１Ｐを呈する溝１ｇと凸状領域１ｃとから構成される防滑面１を有する硬化時の厚み３０μｍの基材２を形成して、防滑性床材１０を作製した。
【００６６】
支持体３の片面に、所定パターンの溝１ｇ及び凸状領域１ｃとからなる防滑面１を有する基材２を形成する方法は、図１２に示す様な、円筒状の円筒成形型Ｍを用いる製造形態でフォトポリマー法により行う。
図１２の円筒成形型Ｍの型面には、図１３（Ａ）に示すような凸条１ｒを形成してある。この凸条１ｒは、図１３（Ｂ）のような、これから形成する所定の溝１ｇの凹状形状とは逆凹凸形状となっている。この凸条１ｒは、前記した溝の平面視パターン１Ｐを用いて作製される。すなわち、円筒成形型Ｍは炭素鋼の中空円筒からなる鉄芯の表面にメッキにより銅層を被覆し、この銅層の表面にフォトエッチング方により凸条１ｒを形成してなる。
【００６７】
このような円筒成形型Ｍに対して、図１２に示すように、先ず、前記フィルムからなる帯状（ウェブ状）の支持体３を巻取（図示せず）から繰り出して、この支持体３の片面に基材２を形成する。基材２を形成する為の前記樹脂組成物からなる塗工液は、回転している円筒成形型Ｍの型面にダイヘッド３１により塗布する。次いで、塗工液３２が塗布され回転している円筒成形型Ｍに対して、帯状の支持体３を押圧ローラ３３により押圧し接触させ、塗布された塗工液３２の一部を型面の凹部内部に充填させる。次に、円周方向に２機設置した電離放射線照射装置３４ａ，３４ｂにより、回転している円筒成形型Ｍ上で塗工液３２に、電離放射線として電子線を１７５ｋＶ、３Ｍｒａｄの条件で順次照射して、塗布された塗工液３２を硬化させると共に支持体３に密着積層した基材２とする。次いで、剥離ローラ３５で円筒成形型Ｍから、基材２とこれに密着積層した支持体３とを一体として剥離することで、支持体３と基材２との２層構成で、所定パターンの溝１ｇと凸状領域１ｃからなる防滑面１を有する基材２が、支持体３上に積層された、帯状の防滑性床材１０が作製される。
【００６８】
こうして、図３に示す溝の平面視パターン１Ｐを呈する溝１ｇが、型面上で図１３（Ａ）に示す断面が台形形状の凸条１ｒから、基材２に図１３（Ｂ）に示す断面が台形形状の溝１ｇとして形成される。
【００６９】
寸法は、溝の平面視パターン１Ｐにおいて、凸状領域１ｃに対応する閉領域Ａの大きさとしての最大対角線長Ｄ（或る閉領域Ａ内に於ける二つの分岐点Ｂ間の最大距離）の平均値ＤAVGは５ｍｍである。閉領域Ａは型面上に於いては凹部であり防滑面１に於いては凸状領域１ｃに該当する。
溝の平面視パターン１Ｐに於いて境界線分Ｌの幅は、型面上において凸条１ｒの（底部の）幅であり基材２の防滑面１に於いて溝１ｇの幅Ｗｔに該当する。この溝１ｇの幅Ｗｔは、防滑面１の凸状領域１ｃの面と同水準に於ける幅Ｗｔが５００μｍ、溝１ｇの底部側の幅Ｗｂが３００μｍである。
型面上において凸条１ｒの高さは、基材２において溝１ｇの深さＶであり、この深さＶは２７μｍである。
【００７０】
以上の様にして、図１１の如き、支持体３上に所定パターンの溝１ｇ及び凸状領域１ｃからなる防滑面１を有する基材２が形成された防滑性床材１０を作製した。
【００７１】
［比較例１］
実施例１に於いて、溝の平面視パターン１Ｐとして、閉領域Ａの大きさとしての最大対角線長Ｄが５ｍｍの正方形からなる正方格子とした以外は、実施例１と同様にして図１５の様な防滑性床材２０を作製した。正方格子は全て同じ寸法であるので、最大対角線長Ｄの平均ＤAVGも５ｍｍである。
【００７２】
［比較評価］
実施例１および比較例１の防滑性床材を、次の様にして比較評価した。
防滑性床材をコンクリート製の平滑な床面上にウレタン樹脂の接着剤を介して貼着した。そして、両方の防滑性床材上を、同一人物が同一の靴を履いて様々な方向に歩行した。これを、人物および靴を替えて、合計５名が試みた。歩行時の滑り性を官能的に相対評価したところ、全員５名とも一致した評価となった。
結果は、実施例１の防滑性床材は、全方向とも滑り易さの差は無く、特に滑り易い方向は無かった。一方、比較例１の防滑性床材は、溝の格子対角線方向に歩いた場合、溝方向に歩いた場合に比べて、滑り易かった。
【符号の説明】
【００７３】
１    防滑面
１ｃ  凸状領域
１ｇ  溝
１Ｐ  溝の平面視パターン
２    基材
３    支持体
１０    防滑性床材
２０    従来の防滑性床材
２１    防滑面
２１ｃ  凸状領域
２１ｇ  溝
Ａ    閉領域
Ｂ    分岐点
ＢＰ  母点
Ｌ    境界線分
Ｌｔ  ライン部（境界線分の集合）
Ｍ    円筒成形型
Ｓ    単位パターン領域
【図１】
2013204316.tif 000003
【図２】
2013204316.tif 000004
【図３】
2013204316.tif 000005
【図４】
2013204316.tif 000006
【図５】
2013204316.tif 000007
【図６】
2013204316.tif 000008
【図７】
2013204316.tif 000009
【図８】
2013204316.tif 000010
【図９】
2013204316.tif 000011
【図１０】
2013204316.tif 000012
【図１１】
2013204316.tif 000013
【図１２】
2013204316.tif 000014
【図１３】
2013204316.tif 000015
【図１４】
2013204316.tif 000016
【図１５】
2013204316.tif 000017
【図１６】
2013204316.tif 000018
【図１７】
2013204316.tif 000019